(57)【特許請求の範囲】
【請求項１】
データストリームを送信するために設けられたトランスミッタであって、
前記データストリームは、ビデオ画素ストリーム及び補助データチャネルを有し、
前記ビデオ画素ストリームは、ビデオフレームフォーマットに従うビデオフレームを有し、
前記ビデオフレームは、アクティブなビデオラインを有し、
前記ビデオラインは、ビデオ画素を有し、当該トランスミッタは、前記ビデオ画素ストリームに関連した補助データを前記補助データチャネルを介して前記ビデオ画素ストリームと同期させて送信するように構成され、
当該トランスミッタは、前記ビデオフレームフォーマットに従うビデオフレームのために必要とされるアクティブなビデオラインを超えて、前記ビデオフレームにおいて追加のビデオラインを挿入するための挿入部を有し、
前記ビデオフレームに関する補助データは、前記ビデオフレームの前記追加のビデオラインにおいて挿入され、
前記補助データは、前記補助データが関連するビデオフレームの前のビデオフレームの追加のビデオラインに関連付けられる、又は、前記補助データが関連するビデオフレームの前のビデオフレームの追加のビデオラインにある、トランスミッタ。
【請求項２】
前記ビデオフレームフォーマットに従うビデオフレームのために必要とされるアクティブなビデオラインを超える少なくとも１つの追加のビデオラインを規定するビデオフレームフォーマット記述子を挿入するように構成される挿入部を有する、請求項１に記載のトランスミッタ。
【請求項３】
データストリームを受信するために設けられたレシーバであって、
前記データストリームは、ビデオ画素ストリーム及び補助データチャネルを有し、
前記ビデオ画素ストリームは、ビデオフレームフォーマットに従うビデオフレームを有し、
前記ビデオフレームは、アクティブなビデオラインを有し、
前記ビデオラインは、ビデオ画素を有し、
当該レシーバは、前記ビデオ画素ストリームと同期送信された前記ビデオ画素ストリームに関する補助データを前記補助データチャネルを介して受信するように構成され、
当該レシーバは、前記ビデオフレームフォーマットに従うビデオフレームのために必要とされるアクティブなビデオラインを超える、前記ビデオフレームにおける追加のビデオラインから補助データを抽出するための抽出部を有し、
前記ビデオフレームに関連する補助データは、前記ビデオフレームの前記追加のビデオラインから抽出され、
前記補助データは、前記補助データが関連するビデオフレームの前のビデオフレームの追加のビデオラインに関連付けられる、又は、前記補助データが関連するビデオフレームの前のビデオフレームの追加のビデオラインからのものである、レシーバ。
【請求項４】
前記ビデオフレームフォーマットに従うビデオフレームのために必要とされるアクティブなビデオラインを超える少なくとも１つの追加のビデオラインを規定するビデオフレームフォーマット記述子を抽出するように構成される記述子抽出部を有する、請求項３に記載のレシーバ。
【請求項５】
補助データチャネルにおける補助データとビデオ画素を有するビデオラインを有するビデオフレームを有するビデオ画素ストリームとを送信するための送信システムであって、
請求項１又は２に記載のトランスミッタと、請求項３又は４に記載のレシーバとを有する、システム。
【発明の詳細な説明】
【技術分野】
【０００１】
本発明は、データストリームを送信するために設けられるトランスミッタ、データストリームを受信するためのレシーバ、並びに、斯様なトランスミッタ及びレシーバを有するシステムに関するものであり、データストリームは、ビデオ画素ストリームと補助データチャネルとを有し、ビデオ画素ストリームは、ビデオフレームフォーマットに従うビデオフレームを有し、ビデオフレームは、アクティブビデオラインを有し、ビデオラインは、ビデオ画素を有し、トランスミッタは、補助データチャネルを介してビデオ画素ストリームに関連した補助データを送信するように構成される。
【背景技術】
【０００２】
斯様なトランスミッタは、（例えば、オーディオのための、及び、シグナリング（ＩｎｆｏＦｒａｍｅｓ）のための）ＴＭＤＳストリームにおいて多重化されるか、又は、（ＣＥＣを用いるような）別々のワイヤ上で、ビデオ画素ストリームに加えて補助データチャネルにおいて補助データを伝送するための幾つかの方法を与えるＨＤＭＩ（High-Definition Multimedia Interface）規格から知られている。ＨＤＭＩは、ＥＩＡ／ＣＥＡ−８６１規格を実装する。これは、ビデオ形式及び波形、圧縮、非圧縮、及びＬＰＣＭオーディオ、補助データの伝送、及び、ＶＥＳＡ  ＥＤＩＤ［２］［３］の実装を規定する。ＨＤＭＩにより伝送されるＣＥＡ−８６１信号は、ＤＶＩ（digital visual interface）により使用されるＣＥＡ−８６１信号と電気的に適合する。
【０００３】
ＨＤＭＩ規格は、補助チャネルの全てがビデオに対して非同期であるという欠点を有する。実用的な実装において、ＨＤＭＩ受信回路は、ビデオへの異なる接続バスを用いてこれらのターゲットサブシステムに接続される。それ故、これらは、ビデオと同期している態様で補助データを供給するために用いられ得ない。
【０００４】
しかしながら、補助データがビデオストリームとフレームアキュレート（frame-accurate）であることを要する、及び、とりわけＨＤＭＩトランスミッタ及びレシーバコンポーネントの現在のアーキテクチャを用いて、ＨＤＭＩ２．０において及び先に述べられた既存の非同期メカニズムにより遅れずに伝送され得ない、幾つかのアプリケーションが存在する。斯様なアプリケーションの例は、いわゆる３Ｄビデオのためのフレームアキュレートな視差及び遮蔽情報、又は、追加の高ダイナミックレンジ若しくは色域（colour gamut）情報である。これらのアプリケーションは、ビデオフレームの範囲に含まれるビデオより大幅に小さいデータ量を要するが、これは、そのフレームのためのビデオデータと同時に供給及び処理されなければならない。
【０００５】
バージョン１．３以降のＨＤＭＩは、画素毎の色毎に最大１６ビット（ｂｃｐ；bits per colour per pixel）の色深度を可能にする。標準のビデオコンテンツは、通常８ｂｃｐを用いる。いわゆる"Ｄｅｅｐ  Ｃｏｌｏｕｒ"アプリケーションは、１０，１２又は１６ｂｃｐを用いる。それ故、ビデオデータ（ＥＰ２２３５９５６参照）よりもむしろ一部の追加のデータを伝送するために、拡張された色深度を対象とするビットの一部を用いることが可能である。これは、上述のアプリケーションにより必要とされるよりも非常に高いデータレートで画素アキュレート（pixel-accurate）な情報を伝送することが可能であり、従って、これは、デバイスにおける、及び、ＨＤＭＩケーブル上の、リソースを浪費するだろう。更に、現在の実用的な実装は、必要とされる高い色深度を扱うことができない。
【０００６】
ＥＰ１２３１７９５Ａ２は、デジタルビデオリンクの１又はそれ以上のチャネルを介して、低帯域幅、非タイミング情報を含むデータを送信するために、規格のＶＥＳＡ及びＣＥＡ−ＥＩＡブランキング期間と比較して、短縮されたブランキング期間を用いることを開示している。ブランキング期間を短くすることにより、各スキャン線においてデータを送信するために利用可能な時間は増大され、システムが各チャネルを介してより多くのデータを送信するのを可能にする。垂直同期の間に送信されるスキャン線の非アクティブなビデオ部分は、追加のデジタルデータを送信するために用いられてもよい。ブランキング期間を短くすること、及び／又は、水平スキャン線の非アクティブなビデオセクションを用いることは、リンクの容量を全体的なデータに追加し、マルチチャネルオーディオ、ビデオ、制御、タイミング、字幕使用又は他のデジタルデータのような、他のデジタルデータを送信するために用いられ得る。
【０００７】
ＵＳ２０１０／１５７１６９Ａ１は、テレビ受信機の遠隔制御送信部を用いることによりテレビ受信機に接続されたＣＥＣ非準拠デバイスを制御することを可能にする。［解決手段］物理アドレス［２０００］がフォトプレーヤ３７０Ｂが物理アドレス〔２０００〕の場所において制御するデバイス（レコーディングデバイス）であるという事実は、フォトプレーヤ３７０Ｂにおいてユーザによりセットされる。この設定に従って、フォトプレーヤ３７０Ｂは、ＣＥＣ制御されたレコーディングデバイスとして論理アドレス｛１｝を決定する。ユーザが遠隔制御送信部２７７を用いることによりＣＥＣ非準拠デバイスであるディスクレコーダ２１ＯＢを動作させるとき、テレビ受信機２５０Ｂは、ディスクレコーダ２１０ＢにアドレスされるＣＥＣ制御コマンドを生成する。フォトプレーヤ３７０Ｂは、ＣＥＣ制御コマンドを検出し、ＣＥＣ制御コマンドを赤外線の遠隔制御コマンドに変換し、赤外線送信ユニット３８４からディスクレコーダ２１０Ｂに赤外線の遠隔制御コマンドを送信する。
【０００８】
ＪＰ２０１１１４６９２９Ａにおいて、各システムのビデオの１つのフレームは、より大きなスクリーンサイズを有するビデオフレームである多重化されたビデオフレームに挿入され、及び、多重化されたビデオフレームのデータとして送信される。各システムのオーディオデータは、各サンプルにより分割され、多重化されたビデオフレームの１つのフレーム期間に対応する時間の範囲内で入力され、多重化されたビデオフレームに挿入される。それぞれの多重化回路において、各システムのデータにおける多重化されたビデオフレームにおける配置位置に関する情報及び各システムのデータのフォーマットに関する情報は、多重化されたビデオフレームに挿入される。本方法は、複数のシステムのオーディオデータを処理するためのビデオ音響装置に適用される。
【発明の概要】
【発明が解決しようとする課題】
【０００９】
本発明の目的は、ＨＤＭＩトランスミッタ及びレシーバコンポーネントの現在のアーキテクチャを使用して既存のものを用いてビデオデータと同期して補助情報を送信することにある。
【課題を解決するための手段】
【００１０】
この目的を達成するために、トランスミッタは、ビデオフレームフォーマットに従うビデオフレームのために必要とされるアクティブなビデオラインを超えてビデオフレームにおける追加のビデオラインを挿入するための挿入部を有し、ビデオフレームに関する補助データは、ビデオフレームの追加のビデオラインにおいて挿入され、補助データは、補助データが関連するビデオフレームの前のビデオフレームの追加のビデオラインに、又は、これにおいて関連する。
【００１１】
ビデオフレームフォーマットにおいて規定されるビデオラインの数を超えてビデオラインを追加することにより、補助データが格納される余裕が作り出される。補助データは、ビデオフレーム自体において格納されるので、関連するビデオフレームとの同期の態様で伝送される。それ故、補助データの同期伝送を実現する。追加のビデオラインがビデオフレームフォーマットにより通常のビデオフレームのために規定されるビデオラインの数に追加されるので、既存のレシーバにより安全に無視され得る、及び、無視されるだろう。従って、補助データは、前記既存のレシーバとの後方互換性の問題をもたらすことなく既存のレシーバに送信され得る。ビデオフレーム自体において又は補助データが関連するビデオフレームの前のビデオフレームにおいて補助データを含めることにより、補助データが関連するビデオフレームが処理されるときに補助データが利用可能になることが保証される。
【００１２】
ＨＤＭＩは、フレームを用いた種々のビデオ形式におけるビデオのためのトランスポートチャネルとして用いられる。例えばＨＤビデオフレームフォーマットにおける斯様なフレームは、３０又は６０Ｈｚのようなフレーム速度で繰り返される１０８０アクティブライン毎に１９２０画素を有する。これらのフォーマットの完全な説明は、ＤＴＤ（Detailed Timing Descriptor）において、又は、予め規定されたＳＶＤ（Short Video Descriptor）を用いることにより与えられる。これらの双方は、ＣＥＡ−８６１において規定される。また、ＨＤＭＩ１．４は、幾つかの追加の予め規定されたフォーマットを規定する。アクティブなビデオライン（例えば、本例においては１０８０）に加えて、ＡＶＬ（Additional Video Line）によりビデオフレームを拡張することにより、ＨＤＭＩインタフェースは、前記のアプリケーションにより必要とされる補助データを伝送することができる。この方法の利点は、これらのＡＶＬにおいて伝送されるデータがビデオストリームの部分として同じ内部コンポーネント及びバスによりビデオ処理回路へ、あるいは、前記ビデオ処理回路から、伝送されるということである。従って、補助データは、関連付けられたビデオフレームにおけるデータと同時に処理され得る。（例えばメモリバッファにおいて）ビデオデータを供給又は使用するデバイスは、同じメモリバッファにおいて補助データを供給又は使用してもよい。
【００１３】
一実施形態において、トランスミッタは、ビデオフレームフォーマットに従うビデオフレームのために必要とされるアクティブなビデオラインを超える少なくとも１つの追加のビデオラインを規定するビデオフレームフォーマット記述子を挿入するように構成される挿入部を有する。記述子を用いてより多くのビデオラインを規定することにより、トランスミッタは、レシーバに対して、ビデオフレームが追加のビデオラインを含むこと、それ故、これらの追加のビデオラインにおいて補助情報を含むことを示すことができる。前記記述子を扱うことができないレシーバは、ビデオ情報を取り出すために標準の数のビデオラインを用い、追加のビデオライン及び記述子を無視するだろう。
【００１４】
特定のビデオ形式（又は、例えば予め規定されたＳＶＤ）のためのＤＴＤは、ＨＤの例における１０８０のような、ビデオフレーム毎のアクティブなラインの実際の数を特定する代わりに、より大きな数のラインを特定する。ＤＴＤ（又はＳＶＤ）は、例えば、１０８２（即ち、１０８０のビデオラインの標準数を超える２つのビデオライン）としてラインの数を規定することができる。既存のレシーバは、標準数のビデオラインを超えるビデオラインを無視するだろう。これらは、例えばＨＤにおける標準の１０８０のアクティブなビデオラインを抽出するように構成されているためである。本発明を用いて、ビデオ形式及びフレーム速度により変化する、補助データのための原データ速度が実現され得る。一例として、（８ｂｃｐにおける）１９２０ｘ１０８０ｐ６０フォーマットは、５．５２９６Ｍｂ／ｓの原データレートを実現することができ、フレームにおいて２つのＡＶＬが存在すると想定した場合、従って、どれくらい多くの追加のビデオラインが記述子により規定されるかに依存して、補助データのために利用可能な帯域幅は、ニーズに調整され得る。代替実施形態において、ＤＴＤ（又はＳＶＤ）は変えられないだろう。しかしながら、トランスミッタとレシーバとの間の他のシグナリング（例えば、Ｅ−ＥＤＩＤ，ＩｎｆｏＦｒａｍｅ、ＣＥＣ及び／又は他の方法のうち１又はそれ以上）は、補助フレーム同期データが送信されること、及び、このデータがどこに配置されているかを示すために用いられるだろう。
【００１５】
トランスミッタの一実施形態において、補助データは、ビデオフレームのサブセクションのみに関連する。
【００１６】
本発明によるレシーバは、ビデオフレームにおける追加のビデオラインから補助データを抽出するための抽出部を有する。ビデオフレームに関する補助データは、ビデオフレームの追加のビデオラインから抽出され、補助データは、補助データが関連するビデオフレームの前のビデオフレームの追加のビデオラインに、あるいは、この追加のビデオラインから、関連付けられる。
【００１７】
ビデオフレームフォーマットにおいて規定されるビデオラインの数を超えるビデオラインを追加することにより、補助データが格納される余裕が作り出される。補助データは、ビデオフレーム自体に格納されるので、関連するビデオフレームとの同期の態様において伝送される。追加のビデオラインは、ビデオフレームフォーマットにより通常のビデオフレームのために規定される数のビデオラインに追加されるので、既存のレシーバにより安全に無視され得る、及び、無視されるだろう。ビデオフレーム自体において又は補助データが関連するビデオフレームの前のビデオフレームにおいて補助データを含めることにより、補助データが関連するビデオフレームが処理されるときに補助データが利用可能であることが保証される。レシーバは、これらにおける補助データを伴う追加のビデオラインが存在することを確立することができ、ビデオフレームから追加のビデオラインを識別及び抽出することができ、追加のビデオラインから補助情報を抽出することができ、ビデオフレーム又は後のビデオフレームを処理するために補助情報を用いることができる。
【００１８】
一実施形態において、レシーバは、ビデオフレームフォーマットに従うビデオフレームのために必要とされるアクティブなビデオラインを超える少なくとも１つの追加のビデオラインを規定するビデオフレームフォーマット記述子を抽出するように構成される記述子抽出部を有する。
【００１９】
これは、レシーバが追加のビデオラインを容易に識別するのを可能にする。
【００２０】
本発明による送信システムは、本発明によるトランスミッタと本発明によるレシーバとを有する。システムにおいて本発明によるトランスミッタ及びレシーバを有することは、補助データがシステム全体で用いられるのを可能にする。既存のレシーバがシステムの部分であってもよい。補助データを送信するための追加のビデオラインの使用は、補助データが既存のレシーバにより安全に無視されることを保証するためである。
【００２１】
前記の説明がＨＤＭＩ規格及びＨＤＭＩチャネルに言及しているが、本発明がＨＤＭＩと同じ問題からの他の伝送チャネルによって同様に用いられ得ることは当業者にとって明らかである。
【図面の簡単な説明】
【００２２】
【図１】本発明によるトランスミッタを示す。
【図２】本発明によるレシーバを示す。
【図３】補助データを保持する追加のビデオラインを有するビデオフレームを示す。
【発明を実施するための形態】
【００２３】
図１は、本発明のトランスミッタを示している。トランスミッタ１は、トランスミッタの入力部２から送信されるビデオフレームを受信するビデオプロセッサ５を有する。ビデオフレームは、追加のビデオラインＡＶＬ（Additional Video Line）をビデオフレームに挿入するように構成される挿入部６に伝えられる。挿入部６は、補助データ入力３からＡＶＬに挿入される補助データを受信する。追加のビデオラインにおいて補助データを挿入することにより、アクティブなビデオライン及び追加のビデオラインの双方を有する拡張されたビデオフレームをビデオ出力部８を介してＨＤＭＩチャネル７におけるビデオチャネル１０に送信することにより、補助データは、補助データが関連するビデオフレームと一緒にシステムを介して進行することが保証される。これは、補助データがＨＤＭＩインタフェースの現在のアーキテクチャを使用した既存のものを用いてビデオデータと同期して送信されることを保証する。ビデオデータと同期して送信される必要がない補助データは、非同期補助データ入力部４上で受信され、ＨＤＭＩチャネルの非同期チャネル１１を介して送信される非同期補助データ出力部９を介して受信される。２つの補助データ入力部３，４の組み合わせも可能であり、単一の入力をもたらす。この場合、トランスミッタは、追加のビデオラインＡＶＬにおけるビデオフレームの部分として送信される補助データにおける補助データ及びＨＤＭＩチャネル７の非同期チャネル１１を介して送信される非同期補助データを分割する（図示省略）。
【００２４】
図２は、本発明によるレシーバを示している。レシーバ１２は、ＨＤＭＩチャネル７のビデオチャネル１０からビデオフレームを順次受信するトランスミッタの入力部１６からビデオフレームを受信するバッファ１５を有する。ビデオフレームは、入力部１６から、受信したビデオフレームから追加のビデオラインＡＶＬを抽出するように構成される抽出部２０に伝えられる。抽出部２０は、追加のビデオラインＡＶＬから補助データを抽出し、補助データを第１の補助データ出力部１８に供給する。また、追加のビデオラインから抽出される補助データが関連付けられたビデオフレームを処理するために必要とされる場合、抽出部２０は、抽出された補助データを、レシーバ１２におけるビデオプロセッサ１４に伝える。それ故、補助データは、関連付けられたビデオフレームと同時にビデオバッファ内に存在し、それ故、補助データが使用のために遅れて到達するという危険を冒す、ＨＤＭＩチャネル７の非同期チャネル１１を介して補助データを受信しなければならない代わりに、システムにより適時に、用いられ得る。これは、補助データがＨＤＭＩインタフェースの現在のアーキテクチャを使用した既存のものを用いてビデオデータと同期して送信されることを保証する。示された実施形態において、抽出部２０及びビデオプロセッサ１４は、バッファメモリ１５上で別々に作用する一方で、ビデオデータと補助データとの間の関係を維持する。代わりに、抽出部は、ビデオフレーム全体、即ち、アクティブなビデオライン及び追加のビデオラインをビデオバッファ１５から取り出すことができ、追加のビデオラインを抽出することができ、追加のビデオラインから補助データを抽出することができ、アクティブなビデオライン及び抽出された補助データの双方をビデオプロセッサ１４に供給することができる。
【００２５】
ビデオプロセッサ１４は、いずれの場合においても、レシーバ出力部１３上に示されるレシーバ出力データを生成するためにアクティブなビデオライン及び補助データを用いる。
【００２６】
直ちに必要とされない補助データは、ＨＤＭＩチャネル７の非同期チャネル１１を介して送信される。この補助データは、ビデオプロセッサ１４にとって重要でない場合、別々の補助データ出力部１９に直接送信され得るか、又は、同様にビデオプロセッサに供給され得る。
【００２７】
受信ＨＤＭＩデバイスにおけるビデオ処理回路は、例えばＨＤＭＩチャネル７の非同期チャネル１１を介して非同期ＩｎｆｏＦｒａｍｅシグナリングシステムを用いて、ビデオフレームがＡＶＬを含むことに気付いてもよい。そして、ビデオ処理回路は、各ビデオフレームのための追加のビデオラインＡＶＬに含まれるデータを抽出することができ、そのビデオフレームのためのビデオデータによりそのデータを処理することができる。
【００２８】
図３は、補助データを保持する追加のビデオラインＡＶＬを有するビデオフレームを示している。
【００２９】
ＨＤビデオデータを送受信する既存のＨＤＭＩトランスミッタ及び／又はレシーバ実装は、各々１９２０のビデオ画素を保持する１０８０のアクティブなビデオラインを有するビデオフレームを用いる。図３において、ビデオフレーム３０は、１０８０のアクティブなビデオライン３１，３２，３３を保持するように示される。ここで、第１のライン３１及び最後の２つのライン、１０７９番目のビデオライン３２及び１０８０番目のビデオライン３３が示される。この例では、２つの追加のビデオライン３４，３５が示される。それ故、このビデオフレームのための記述子は、１０８２のラインを示す。同期して送信される補助データの帯域幅要求に依存して追加のビデオラインの他の数ももちろん可能である。図１のトランスミッタ１は、ビデオデータにより１０８０のライン３１，３２，３３を満たし、補助データ３７により２つの追加のビデオライン３４，３５を満たす。また、ヘッダ３６が第１の追加のビデオライン３４において与えられる。ＨＤＭＩトランスミッタは、１０８２のラインを生成し、これらを単一のビデオフレームとしてＨＤＭＩチャネル７を介して送信するだろう。同様に、受信側において、図２のレシーバ１２は、１０８２のビデオラインを受信し、これらをビデオバッファに供給するだろう。受信ビデオプロセッサは、バッファからビデオデータの１０８０のラインを読み取り、抽出部は、ビデオバッファの２つの追加のビデオラインから補助データを抽出するだろう。
【００３０】
ＡＶＬデータは、ＨＤＩチャネルの３つのＴＭＤＳチャネルの１又はそれ以上において伝送される。複数のチャネルが用いられる場合、ＡＶＬヘッダは、使用されるＴＭＤＳチャネルの１又はそれ以上の中にあってもよい。ＴＭＤＳチャネルのうちどちらが用いられるかは、シグナリングデータの部分であってもよく、又は、トランスミッタにより選択され、レシーバにより何らかの方法で自動的に推測されてもよい。
【００３１】
ヘッダは、ペイロードタイプ識別子、どれくらいのラインがこのフレームにおいて用いられるか、このフレームのためのデータ長、及び、データコンテナに関連する他の情報のような情報を含む。また、ヘッダは、これらの追加のビデオラインに含まれるデータがビデオストリームにおけるビデオフレームと同期しているかどうか、又は、データが非同期かどうかに関する識別を含んでもよい。実際のペイロードデータは、追加のビデオラインにおいてそれ故生成されるフレーム同期データチャネルのユーザにより規定され、更なるペイロード識別子、チェックサム及び他の類似のデータを含んでもよい。
【００３２】
ＡＶＬデータの複数のセットが用いられる場合において、ＡＶＬヘッダは、追加のビデオライン内の種々のペイロードの位置を示すだろう。代替実施形態は、ＡＶＬヘッダが次のＡＶＬヘッダを見つける基準（場所／方法）と一緒に１つのペイロードの特性及びその長さを示すということである。次のＡＶＬヘッダは、他のペイロードの特性及びその長さ、及び、更に他のＡＶＬヘッダを見つける基準（場所／方法）を含む。
【００３３】
この特許はこれらのＡＶＬがアクティブなビデオフレームの最後に追加されることを示しているが、他の実施形態において、フレームの最初に、又は、双方の位置において、又は、垂直及び／又は水平ブランキングエリアの１又は複数の他のエリアにおいて、これらを置くことも考えられる。
【００３４】
ＡＶＬに加えて、ビデオストリームがＡＶＬを用いるという指標が存在してもよい。前に述べられたように、この指標は、ビデオストリームによって送信されるＩｎｆｏＦｒａｍｅｓのうちの１つにおいて伝送され得る。しかしながら、本発明により生成されるフレーム同期データチャネルを実装しないデバイスに関する問題を回避するために、レシーバは、フレーム同期データチャネルを扱うことができることを示す必要がある。これは、ＣＥＡ−８６１及びＶＥＳＡにより規定されるレシーバのＥＥＤＩＤ（Enhanced Extended Display Identification Data）における斯様な指標を含むことにより達成され得る。フレーム同期データチャネルは、ほぼ同期性のアプリケーションのために用いられてもよく、斯様なデータは、必要なときに予め送信される。即ち、補助データは、補助データが関連するビデオフレームの前のビデオフレームに含まれる。これは、ビデオ処理が多大な時間（例えば幾つかのフレーム）を要する場合に有利である。これは、関連したビデオフレームの処理が始まる前に補助データがビデオプロセッサに対して利用可能であることを保証する。代わりに、データは、将来適用されるべきである指標とともに先に述べた通りに送信される。例えば、この指標は、データが現在のフレームの後の多数のビデオフレームにおいて用いられるべきことを示すことができるか、又は、現在の又は次のビデオフレームに適用されるべきことを示すことができる。
【００３５】
全てのアプリケーションが、データが各ビデオフレームのために送信されることを必要とするというわけではない。例えば、データは、例えば映画における単一のシーンに対応し得るビデオフレームのセットに適用されてもよい。この状態では、データは、このデータが示された時間（即ち、現在フレーム又は将来のフレーム）から更なる指標まで継続的に適用されるべきという更なる指標とともに、現在のビデオフレームにおいて又は予め送信されてもよい。この手法において、データは、次の補助データが送信されて効力を生じるまで、ビデオ処理に適用されるだろう。補助データが最初に効果を生じる時から指定された数のビデオフレームのために適用するという指標が与えられ得る。
【００３６】
データがデータの各セットの識別子とともに予め送信されることも可能であり、データの斯様なセットの多数が送信及び識別され得る。また、いつデータが効力を生じるべきかという指標は、予めロードされた及び識別されたデータのどのセットが後にその時間から適用されなければならないかを含む。
【００３７】
また、データの異なるセットが指定された時間で適用されるべき場合に、スクリーンの領域は、（例えば、画素位置及びライン番号を用いて）規定され得る。例えば、データの１つのセットは、スクリーン全体にビデオを適用することができるが、例えばメニュー又は他のオンスクリーンディスプレイを含み得る特定の領域は、データの異なるセットを用いることができる。ＨＤＭＩにおいて、ビデオデータは、いくらかのデータ保護メカニズム（８〜１０及び１０〜８の変換）を有し、これは、ＡＶＬにおいて伝送されるデータの充分な保護ではないかもしれない。伝送の間に例えばビットエラーに対する良好な保護を与えるために、追加の手段が利用されてもよく、例えば、送信されたデータにチェックサムを追加する、及び／又は、追加のエラー検出及び補正機能を供給する。１つの特定の例は、８のデータビットの２４ビット（３バイト）へのマッピングを用いることであるだろう。これは、特定のビデオ画素のために伝送される。レシーバにおいて、２４のビットは、８のデータビットにマッピングされる。また、斯様なマッピングは、特定の意味を有する画素値を回避する（又は、"制限された範囲"を用いるときに０及び２５５のように、禁止される）ことに対処する。他の実施形態は、より複雑なエラー検出／補正方法を用いることができる。
【００３８】
本発明は、全てのＨＤＭＩバージョン、とりわけ、新たな製品（ＨＤＭＩ１．４ｂ及びＨＤＭＩ２．０）を開発するために現在利用可能なバージョンに適用され得るが、本発明は、（以前のＨＤＭＩバージョンを用いるときでさえ）ソフトウェアアップデートを用いた既存のＨＤＭＩ製品に適用されることが想像され得る。
【図１】
0006449318.tif 000002
【図２】
0006449318.tif 000003
【図３】
0006449318.tif 000004